【手続補正書】
【提出日】令和1年11月7日(2019.11.7)
【手続補正１】
【補正対象書類名】特許請求の範囲
【補正対象項目名】全文
【補正方法】変更
【補正の内容】
【特許請求の範囲】
【請求項１】
位相エイリアシングを自動的に補正するために、磁気共鳴撮像（ＭＲＩ）ベース医療撮像システムとともに使用するための操作の方法であって、
少なくとも１つのプロセッサによって、解剖学的構造を表すＭＲＩデータのセットを受信するステップであって、ＭＲＩデータの前記セットは、それぞれの解剖学的構造および複数のボクセルの各々についての速度を備える、ステップと、
前記複数のボクセルのうちの少なくともいくつかの各々について、前記少なくとも１つのプロセッサによって、速度符号化パラメータの近くのフロー速度における急勾配を識別するステップと、
前記少なくとも１つのプロセッサによって、急勾配を有するものとして識別される前記ボクセルすべてを接続して、囲まれた境界を定義するステップと、
前記少なくとも１つのプロセッサによって、前記囲まれた境界中の前記ボクセルすべてがエイリアシングされるかどうかを決定するステップと、
前記囲まれた境界中の前記ボクセルすべてがエイリアシングされると決定したことに応答して、
前記少なくとも１つのプロセッサによって、前記速度符号化パラメータの倍数を、前記囲まれた境界中の前記ボクセルの各々についての前記速度に追加するステップ、または
前記少なくとも１つのプロセッサによって、前記速度符号化パラメータの倍数を、前記囲まれた境界中の前記ボクセルの各々についての前記速度から差し引くステップと
を含むことを特徴とする方法。
【請求項２】
前記囲まれた境界中の前記ボクセルすべてがエイリアシングされるとは限らないと決定したことに応答して、前記少なくとも１つのプロセッサによって、前記囲まれた境界中の隣接ボクセルのそれぞれの前記速度を分析するステップと、
前記少なくとも１つのプロセッサによって、前記隣接ボクセルの前記分析されたそれぞれの速度に少なくとも一部が基づいて、前記囲まれた境界中の前記ボクセルの各々の前記速度を修正するステップと
をさらに備えたことを特徴とする請求項１に記載の方法。
【請求項３】
前記囲まれた境界中の前記ボクセルの各々の前記速度を修正するステップは、前記隣接ボクセルにわたる不連続性を最小限にするように決定された量だけ、前記ボクセルの各々の前記速度を修正するステップを備えたことを特徴とする請求項２に記載の方法。
【請求項４】
前記囲まれた境界中の前記ボクセルすべてがエイリアシングされるかどうかを決定するステップは、前記囲まれた境界中の隣接ボクセルの間に急勾配があるかどうかを決定するステップを備えたことを特徴とする請求項１に記載の方法。
【請求項５】
磁気共鳴撮像（ＭＲＩ）ベース医療撮像システムとともに使用するための操作の方法であって、
少なくとも１つのプロセッサによって、解剖学的構造を表すＭＲＩデータのセットを受信するステップであって、ＭＲＩデータの前記セットは、それぞれの解剖学的構造および複数のボクセルの各々についての速度情報を備える、ステップと、
前記少なくとも１つのプロセッサによって、前記解剖学的構造内のボリュームを定義するステップと、
前記少なくとも１つのプロセッサによって、前記解剖学的構造内の前記ボリュームを表す前記複数のボクセルのうちの少なくともいくつかについての速度場の発散を最小限にするステップと、
前記少なくとも１つのプロセッサによって、前記速度場の前記最小限にされた発散に少なくとも一部が基づいて、前記解剖学的構造内の前記ボリュームを表す前記複数のボクセルのうちの前記少なくともいくつかについての速度情報を補正するステップと
を備えたことを特徴とする方法。
【請求項６】
前記複数のボクセルのうちの前記少なくともいくつかについての速度情報を補正するステップは、前記複数のボクセルのうちの前記少なくともいくつかについてのｘ速度、ｙ速度およびｚ速度を補正するステップを備えたことを特徴とする請求項５に記載の方法。
【請求項７】
速度場の発散を最小限にするステップは、前記発散を最小限にするという制約で、前記速度場の最小２乗発散なし近似を構築するステップを備えたことを特徴とする請求項５に記載の方法。
【請求項８】
速度場の発散を最小限にするステップは、前記速度場の残差発散を反復的に最小限にするステップを備えたことを特徴とする請求項７に記載の方法。
【請求項９】
位相エイリアシングを自動的に補正するために、磁気共鳴撮像（ＭＲＩ）ベース医療撮像システムとともに使用するための操作の方法であって、
少なくとも１つのプロセッサによって、解剖学的構造を表すＭＲＩデータのセットを受信するステップであって、ＭＲＩデータの前記セットは、それぞれの解剖学的構造および複数のボクセルの各々についての速度情報を備える、ステップと、
前記少なくとも１つのプロセッサによって、ＭＲＩデータの前記セットを分析して、心周期のピーク拡張期に対応する時間点を識別するステップと、
前記少なくとも１つのプロセッサによって、前記複数のボクセルのうちの少なくともいくつかの、前記速度の変動を、前記心周期の少なくとも一部分にわたって分析するステップと、
前記少なくとも１つのプロセッサによって前記複数のボクセルのうちの少なくともいくつかの前記速度の前記変動を心周期の少なくとも一部分にわたって前記分析することに少なくとも一部が基づいて、前記複数のボクセルのうちの前記少なくともいくつかの前記速度のエラーを補正するステップと
を含むことを特徴とする方法。
【請求項１０】
前記複数のボクセルのうちの少なくともいくつかの前記速度の変動を分析するステップ、および前記複数のボクセルのうちの少なくともいくつかの前記速度のエラーを補正するステップは、
前記複数のボクセルのうちの前記少なくともいくつかの各々について、
前記少なくとも１つのプロセッサによって、前記心周期中の連続する時間点の間での速度の変化を追跡するステップと、
前記少なくとも１つのプロセッサによって、前記速度が速度符号化パラメータの大きさを超えて変動した場合はエイリアシングが起きたと決定するステップと、
エイリアシングが起きたと決定したことに応答して、
前記少なくとも１つのプロセッサによって、前記速度が前記速度符号化パラメータを超えて低減された場合はラップカウントを増分するステップ、または
前記少なくとも１つのプロセッサによって、前記速度が前記速度符号化パラメータを超えて増大された場合はラップカウントを減分するステップと、
各時間点について、前記少なくとも１つのプロセッサによって、前記ボクセルについての累計ラップカウントに少なくとも一部が基づいて、前記速度を修正するステップと
を備えたことを特徴とする請求項９に記載の方法。
【請求項１１】
前記ボクセルについての累計ラップカウントに少なくとも一部が基づいて、前記速度を修正するステップは、前記累計ラップカウントと前記速度符号化パラメータの２倍との積に等しい量だけ前記速度を増大するステップを備えたことを特徴とする請求項１０に記載の方法。
【請求項１２】
前記少なくとも１つのプロセッサによって、前記累計ラップカウントが心周期にわたってゼロであるかどうかを決定するステップと、
前記累計ラップカウントが心周期にわたってゼロでないと決定したことに応答して、前記少なくとも１つのプロセッサによって、エラー信号を生成するステップとをさらに備えたことを特徴とする請求項１０に記載の方法。
【請求項１３】
前記少なくとも１つのプロセッサによって、心周期にわたって前記累計ラップカウントがゼロでないボクセルの数を追跡するステップをさらに備えたことを特徴とする請求項１２に記載の方法。
【請求項１４】
前記少なくとも１つのプロセッサによって、心周期にわたって前記累計ラップカウントがゼロでないボクセルについてのみ、前記速度のエラーを補正するステップをさらに備えたことを特徴とする請求項１２に記載の方法。
【請求項１５】
前記少なくとも１つのプロセッサによって、前記複数のボクセルのうちのどれが血流を表す見込みがあるかを識別するステップと、
前記少なくとも１つのプロセッサによって、前記複数のボクセルのうちのどれが血流を表す見込みがあるか前記識別することに少なくとも一部が基づいて、前記複数のボクセルのうちの前記少なくともいくつかを分析用に選択するステップと
をさらに備えたことを特徴とする請求項９に記載の方法。
【請求項１６】
渦電流によるアーティファクトを自動的に補正するために、磁気共鳴撮像（ＭＲＩ）ベース医療撮像システムとともに使用するための操作の方法であって、
少なくとも１つのプロセッサによって、解剖学的構造を表すＭＲＩデータのセットを受信するステップであって、ＭＲＩデータの前記セットは、それぞれの解剖学的構造および複数のボクセルの各々についての速度情報を備える、ステップと、
前記少なくとも１つのプロセッサによって、前記複数のボクセルのうちのどれが静的組織を表すかというインジケーションを受信するステップと、
前記少なくとも１つのプロセッサによって、静的組織を表す前記ボクセルについての前記速度情報に少なくとも一部が基づいて、少なくとも１つの渦電流補正パラメータを決定するステップと、
前記少なくとも１つのプロセッサによって、前記決定された少なくとも１つの渦電流補正パラメータに少なくとも部分的に基づいて、前記複数のボクセルについての前記速度情報を修正するステップと
を含むことを特徴とする方法。
【請求項１７】
前記複数のボクセルのうちのどれが静的組織を表すかというインジケーションを受信するステップは、
前記少なくとも１つのプロセッサによって、前記ＭＲＩデータをフィルタリングして、空気の領域をマスクするステップと、
前記少なくとも１つのプロセッサによって、前記ＭＲＩデータをフィルタリングして、血流の領域をマスクするステップと、
前記少なくとも１つのプロセッサによって、前記ＭＲＩデータをフィルタリングして、非静的組織の領域をマスクするステップと
を備えたことを特徴とする請求項１６に記載の方法。
【請求項１８】
前記ＭＲＩデータをフィルタリングして空気の領域をマスクするステップは、決定された閾値を下回る解剖画像値で領域をマスクするステップを備えたことを特徴とする請求項１７に記載の方法。
【請求項１９】
前記少なくとも１つのプロセッサによって、解剖画像値についてのヒストグラムを分析して、前記決定された閾値を決定するステップをさらに備えたことを特徴とする請求項１８に記載の方法。
【請求項２０】
前記少なくとも１つのプロセッサによって、前記少なくとも１つのプロセッサに通信可能に結合されたユーザインタフェースを介して少なくとも１つのフィルタパラメータを受信するステップをさらに備えたことを特徴とする請求項１７に記載の方法。
【請求項２１】
コンピュータに請求項１ないし２０のいずれか１つに記載の方法を実行させることが可能な命令を有することを特徴とするコンピュータプログラム。
【請求項２２】
請求項２１記載のコンピュータプログラムを記録したことを特徴とする非一時的コンピュータ可読媒体。